Podtech/llm-jp-corpus-v4-ja_patent huggingface dataset:
(57)【要約】【課題】水・氷を使用して飲料を冷却するディスペンサの省エネルギー化を行うことにより、小型であるが出力の小さいペルチェ素子式冷却器使用を可能として、結果的に飲料用ディスペンサを小型化する。【解決手段】撹拌ペラ運転を飲料注出中のみとし他は休止させてエネルギーロスをなくすとともに、ペルチェ素子式冷却器運転を氷量が目標値に達するまでは１００％出力、氷量が目標値に達してからは３〜５％出力としてペルチェ素子の結露による短絡を防止しつつエネルギーロスを少なくするとともに、冷却ファン運転をペルチェ素子冷却器運転100％時のみとしてエネルギーロスを少なくする。【選択図】図１
2011121630.tif 000002
【特許請求の範囲】
【請求項１】
水・氷を使用しペルチェ素子式冷却器で飲料を冷却するディスペンサにおいて、撹拌ペラの運転を必要に応じて停止したり回転速度を低くしたりして制御することを特徴とするペルチェ素子式冷却器使用の飲料用ディスペンサ。
【請求項２】
水・氷を使用しペルチェ素子式冷却器で飲料を冷却するディスペンサにおいて、ペルチェ素子及び冷却ファンの運転をペルチェ素子出力を下げたり冷却ファンの回転速度を低くしたりして制御することを特徴とする請求項１に記載のペルチェ素子式冷却器使用の飲料用ディスペンサ。
【発明の詳細な説明】
【技術分野】
【０００１】
本発明は、ペルチェ素子式冷却器使用の飲料用ディスペンサの撹拌ペラ運転制御・ペルチェ素子式冷却器運転制御・冷却ファン運転制御に関するものである。
【背景技術】
【０００２】
従来の飲料用ディスペンサは図１のように１、ヒートポンプ式冷却器を設け、２、水槽内の外側に３、冷却パイプ・内側に４、飲料パイプ・中心部に５、撹拌ペラを設置し、冷却パイプ回りにできた６、氷を撹拌ペラにより７、冷却水を流して飲料パイプ内の飲料を冷却していた。この撹拌ペラは常時同じ回転速度で運転されており特別な制御は行われていない。また冷却パイプ周辺には８、氷量センサが設けてあり、冷却器運転を制御している。
【０００３】
しかし撹拌ペラを回転させるとそのエネルギーが冷却水に伝わるので、氷を作るために冷却器に余分な負荷がかかっていた。
【０００４】
ヒートポンプ式冷却器は出力は高いが比較的大型でありコンプレッサ等の可動部のメンテナンスや冷媒の環境負荷等に問題があり、数多くある小さな飲料店には設置不能であった。冷却器を９、ペルチェ素子式にすると小型化やメンテナンスフリー化が可能となるが、出力が低いのが欠点であった。
【０００５】
また冷却器は氷量が目標値となると運転を停止するが、ペルチェ素子式冷却器の場合は氷の冷熱が１０、伝熱冷却体を通して逆流しペルチェ素子側が結露する。長期間結露・蒸発を繰り返すとペルチェ素子に短絡の恐れがでてくる。
【発明の概要】
【発明が解決しようとする課題】
【０００６】
解決しようとする課題は、撹拌ペラの運転を必要に応じて停止したり回転速度を低くしたりして制御しエネルギーロスを少なくし、ペルチェ素子式冷却器を使用可能として飲料用ディスペンサ形状を小型化することである。
【０００７】
さらにもう一つの解決しようとする課題は、ペルチェ素子１１、冷却ファンの運転を必要に応じてペルチェ素子出力を低くしたり冷却ファンの回転速度を低くしたりして制御し、その結露を防ぐとともにエネルギーロスを少なくし、ペルチェ素子式冷却器を使用可能として飲料用ディスペンサを小型化することである。
【課題を解決するための手段】
【０００８】
本発明は、図２のように１２、ドラフトコックに注出スイッチを設けることにより、または飲料配管中に圧力センサを設けることにより、注出中のみ撹拌ポンプを運転し注出以外のときは撹拌ポンプを休止することを特徴とするものである。
【０００９】
本発明は、図３のように氷量が目標値に達したらペルチェ素子運転を３〜５％程度とし、冷却ファン運転を休止することを特徴とするものである。
【発明の効果】
【００１０】
上述のように撹拌ポンプ・ペルチェ素子・冷却ファンの運転をきめ細かく制御することによりエネルギーロスを少なくでき消費電力も低減でき、従来のヒートポンプ式冷却器に比べ小型ではあるが出力の小さいペルチェ式冷却器が使用可能とすることができる。結果的に飲料用ディスペンサが小型化できかつメンテナンスが楽になりさらに寿命を延ばすことができる。
【図面の簡単な説明】
【００１１】
【図１】図１は従来のディスペンサ構造を示した説明図である。
【図２】図２は撹拌ポンプ運転の実施方法を示した説明図である。(実施例１)
【図３】図３は撹拌ペラを従来運転時と本発明の制御運転時の氷生成性例を示した説明図である。
【図４】図４はペルチェ素子・冷却ファン運転の実施方法を示した説明図である。(実施例２)
【発明を実施するための形態】
【００１２】
以上説明したように、本発明の撹拌ポンプ・ペルチェ素子・冷却ファン運転のきめ細かい制御により小型・省電力・長寿命の飲料用ディスペンサが供給できるので従来型が設置不能だった小さな飲料店にも設置できるようになり従来以上に多くの人に冷たい飲料が供給可能となる。
【実施例１】
【００１３】
図２は、本発明の実施例の断面図であって、２は水槽、４は飲料パイプ、５は撹拌ペラ、６は氷、７は氷量センサ、８は冷却水、９はペルチェ素子、１０は伝熱冷却体、１１は冷却ファン、１２はドラフトコックである。
【００１４】
図３は撹拌ペラを従来運転時と本発明の制御運転時の氷生成性例を示す。
【実施例２】
【００１５】
図４は氷量とペルチェ素子・冷却ファン運転の関係を示す。
【産業上の利用可能性】
【００１６】
以上説明したように、本発明の撹拌ポンプ・ペルチェ素子・冷却ファン運転のきめ細かい制御により小型・省電力・長寿命の飲料用ディスペンサが供給できる。
【符号の説明】
【００１７】
１    ヒートパイプ式冷却器
２    水槽
３    冷却パイプ
４    飲料パイプ
５    撹拌ペラ
６    氷
７    冷却水
８    氷量センサ
９    ペルチェ素子
１０  伝熱冷却体
１１  冷却ファン
１２  ドラフトコック
【図１】
2011121630.tif 000003
【図２】
2011121630.tif 000004
【図３】
2011121630.tif 000005
【図４】
2011121630.tif 000006
(57)【要約】      （修正有）【課題】自転車の運搬袋への収納時には常に自立し，収納した自転車のデリケートな可動部分が搬送時のショックに依る破損を受けにくく袋内から突起フレームが突き出ることを抑え周囲の人への危険度を軽減でき袋外部からのショックからも保護することが出来る。また取っ手は長さが調節できて手で持つことも肩に掛けることもできる自転車の運搬袋。【解決手段】分解した自転車を逆さに置きハンドルの両側とサドルとで袋の底に自立させる。袋の上半分を被せながらフロントフォーク、リアデイレーラーを袋の内部に予め装備されているポケット８，９に収納しファスナー２を閉める。袋の両脇にあるストラップ３はコキ部品４に通して長さを調節して肩に掛けることも手に持つことも出来る。【選択図】図２
2011121639.tif 000002
【特許請求の範囲】
【請求項１】
自転車を運搬する袋の出し入れ口のファスナー（２）が自転車を逆さにして進行方向に向けたハンドル両側とサドルとの３点により自立した状態に対して水平に取り付けられていることを特徴とする自転車の運搬袋。
【請求項２】
上記請求項１の運搬袋内面には３点で逆さに自立した自転車のフロントデイレーラー、リアデイレーラー、フロントフォーク等鋭利な突起部品を保護する目的で包む為のポケット（８）（９）が予め内側に備え付けられていることを特徴とする自転車の運搬袋。
【請求項３】
請求項１の自転車の運搬袋の両取っ手テープ（５）はコキ部品（４）に依って長さを延長、短縮することができ、手で下げることも肩にかけることもできることを特徴とする自転車の運搬袋。
【請求項４】
上記請求項３の片側の取っ手テープ（３）にはトンネル状に加工した面ファスナー付緩衝用パット（６）が通して有りもう一方の取っ手を包んで面ファスナー（１０）で束ねることに依り取っ手の長短にかかわらず常に持ち手としての最適な位置に移動できることを特徴とする自転車の運搬袋。
【発明の詳細な説明】
【技術分野】
【０００１】スポーツ或いはレジャーとして使用する自転車を運搬する場合、電車等の公共交通機関での移動は袋に収納して車内に持ち込まなければ成らない。
この移動の為の自転車を運搬する袋に関する。
【背景技術】
【０００２】一般にスポーツ用の自転車を運搬する場合運び易い様に前輪後輪共簡単に外れてコンパクトになる。勿論、折り畳み自転車、小径車は初めからコンパクトになる様に設計してある。現在使用されている輪行袋と言われる搬送袋は自転車を収納したとき袋の外幅を抑えるために自転車のハンドルを一杯に切った状態にするので自立できずに常に手で押さえているか立てかけて置かなければならない。また分解した自転車のリアデイレーラーやフロントフォークを床面に立てる収納方法も有るがこれら精密な部分の破損を回避する為には別途エンド金具という車体フレームを固定する部品が必要になる。
【発明の開示】
【発明が解決しようとする課題】
【０００３】運搬袋に分解収納した自転車が自立できて繊細で狂い易いリアデイレイラーやフロントフォークを地面から最も離した衝撃影響を受けにくい位置に保ち、自転車のデリケートな鋭利部品を保護し周囲にも危険の少ないチェーンカバーやエンド金具を必要としない収納の容易なハンドルの伸縮する新規の軽量な自転車の搬袋を提供する。
【課題を解決するための手段】
【０００４】運搬袋の中程に設けた水平に開くファスナー（２）を開いて分解して逆さまにした自転車の正面に向けたハンドルの両端とサドルとの３点を以って袋の底部に自立させる。  自立した自転車の上半分にはフロントフォークとリアデイレイラーの突起が有るので袋の内側に予め装備してあるこれらの部品を納めるポケット（８）（９）に収納して部品の破損と袋を突き破っての突出を抑える。
両側に取り付けられた取っ手用のテープ（３）の片側の一方は袋に縫い付けられているがもう一方は本体に取り付けたコキ（４）に通してテープ全体の長さを調節できる。
【発明の効果】
【０００５】袋に入れた自転車から離れる場合常に何かに立てかけて置く必要が無く自転車の精密部品を床から遠くに離せて搬送時の床からのショックを回避でき袋内に装備された部品カバーに依り部品を保護するだけでなく外からの衝撃も保護できる。
使用上部品の持つ鋭利性が低減され周囲の人への危険度も和らげることができる。
【図面の簡単な説明】
【図１】運搬袋の正面図である。
【図２】運搬袋に自転車を収納した透視図である。
【図３】テープ上を移動する取っ手の拡大図である。
【符号の説明】
【０００６】  １、運搬袋本体。
２．出入りファスナー。
３．取っ手テープ。
４．コキバックル。
５．ハンドルテープ。
６．移動グリップ。
７．フロントフォーク収納ポケット。
８．チェーン、デイレーラー収納ポケット。
９．リアフォーク収納ポケット。
１０．面ファスナー。
１１．収納した自転車本体。
【図１】
2011121639.tif 000003
【図２】
2011121639.tif 000004
【図３】
2011121639.tif 000005
(57)【要約】【課題】注出器に手間無く容易に自動計量、定量注出できる機能を持たせること【解決手段】容器の傾きによっておもり球への重力の方向が変化し、おもり球が移動する「おもり弁」によって弁口が開いたり閉じたりする仕組みを利用し、自動計量することと、定量注出することを使い分ける。容器を普通に立てているときは弁が開き、重力によって下部の計量庫に注出液が自動的に満たされ、容器を傾けたときは弁が閉じて、計量庫内の注出液以外注出されない。【選択図】図１
2011121637.tif 000002
【特許請求の範囲】
【請求項１】
容器の傾きによっておもり球への重力の方向が変化し、おもり球が移動する「おもり弁」によって弁口が開いたり閉じたりすることを利用し、自動計量することと、定量注出することを使い分ける仕組み。
【発明の詳細な説明】
【技術分野】
【０００１】本発明は、液体をほぼ定量的に注ぐためのおもり弁の考案に関係する。
【背景技術】
【０００２】  調味料注出器、例えば醤油差等には、差す量を空気穴で調節するもの、ボールの転がりで調節するものなどがあるが、定量的に測り取る仕組みを持つものは少ない。
また酒類等に定量を量りとるキャップはあるが、本発明は容器そのものに機能を持たせている。
【先行技術文献】
【特許文献】
【０００３】
【特許文献１】  特許出願２００４−２２３３９０  定量注出器
【特許文献２】  実用新案出願平１０−３０３５  醤油差し
【特許文献３】  実用新案出願２００５−３６８  醤油差し
【特許文献４】  特許出願２００６−２２１７１１  差す量を調節できる醤油差し
【特許文献５】  実用新案出願平８−６５９１  液体定量注出用中栓
【発明の概要】
【発明が解決しようとする課題】
【０００４】  一般の液体調味料の注出器は毎回の注出量が不安定で、人のさじ加減で出る量が決まる。しかし外食産業など食膳を大量に取り扱う場所では、エコ面においてもコスト面においても注出量は均一なことが望ましい。本発明の課題は、注出器に手間無く容易に自動計量、定量注出できる機能を持たせることである。
さらに貯蔵液が無くなる間近まで使用できなければならない。
【課題を解決するための手段】
【０００５】〔図１〕の右上ようにおもり室を計量庫（３）の下横に取り付ける。おもり室の中では容器の傾きによっておもり球の重力方向が入れ替わり、注ぐときは貯蔵液の侵入を防ぐように弁口（４）が閉じる。また普通に立てたときは弁口（４）を開放して重力に従い計量庫に自然に液が蓄えられる。【０００６】貯蔵液の計量庫への通過口（弁口）の位置は、最後まで使い切れるよう十分に下に位置させる。【０００７】注ぎ出すための圧力調整の空気管を貯蔵液より高い位置まで切り口が来るように取り付ける。【０００８】計量庫に、計量庫の容量変化を可能にする調節ネジ（６）を取り付ける。
【発明の効果】
【０００９】  容器の傾きによっておもり球（５）の重力方向が入れ替わり、傾いたときは貯蔵液の進入を防ぐように弁口（４）が閉じる。このため注ぐときは計量庫内の液のみが注ぎ出される。また普通に立てたときは弁口（４）が開放され重力に従い自動的に計量庫にほぼ定量の注出液が満たされる。
従って、注いで置く、注いで置くという普通の注出器と同じ日常の操作で繰り返し簡単に定量の液を注ぐことができる。また注ぐ量も調節可能である。
【図面の簡単な説明】
【００１０】
【図１】おもり弁式定量注出器、普通に立てたとき、傾けて注ぐとき。
【発明を実施するための形態】
【００１１】  一般の注出器と同様、普通に傾けて注ぎ、普通に置けばよい。
【実施例】
【００１２】  液体調味料（醤油、油、酢、たれ等）や化学実験等。
【産業上の利用可能性】
【００１３】  外食産業では、液体調味料の無駄遣いを抑え、経費削減に寄与する。計量カップ、計量さじの代わりとなり、料理、ケーキ作り等の生産速度向上に寄与する。また簡易な化学実験にも利用できる。
【図１】
2011121637.tif 000003
(57)【要約】      （修正有）【課題】水など液体を一口飲むとか少しで口を潤す目的の時の持ち運びなど、従来の大きさの容器では多すぎて余り、捨ててしまうのも不経済で、また持ち歩くのも荷になり困る事があり、集結形の小型ペットボトルを提供する。【解決手段】数個に分割された一連のペットボトルＡ，Ｂ，Ｃ，Ｄを、簡単に一つにまとまる様にホック９．１，１０．１２を設け、円筒形又は多角筒形になる集結形容器で、使うときは簡単に一つずつ手でちぎれる構造にしたもので、丸める事によって円筒形又は多角筒形になる集結形容器を形成し、自動販売機などで販売可能なものとし手に入れられ易くしたものである。【選択図】図１
2011121640.tif 000002
【特許請求の範囲】
【請求項１】
一部分だけを繋ぎ合わされている数個のペットボトルを、丸めて一つにまとめることによって、円筒形又は多角筒形形成した集桔形ペットボトル容器。
【発明の詳細な説明】
【技術の分野】
【０００１】本発明は水など液体を一部分だけをつなぎ合わされた小さなペットボトル容器に入れ、数個集結して１個の束にし、自動販売機などでも収納可能な形を形成した集結形ペットボトル容器に関するものである。
【背景技術】
【０００２】従来の自動販売機で収納販売されているペットボトルは小さくても３００〜３５０ｍｌ程度であり、７０〜１２０ｍｌ程度の少量のものは単体で紙製の容器か知られていない。
【発明の開示】
【発明が解決しようとする課題】
【０００３】水など液体を一口飲むとか少しで口を潤す目的の時の持ち運びなど、従来の大きさの容器では多すぎて余る事があり、捨てるのも不経済であり持ち歩くのも荷になり困る事がある。
【課題を解決するための手段】
【０００４】  一部分だけを繋ぎ合わされている数個のペットボトルを丸めると、簡単に一つにまとまる様にホックを設け、円筒形又は多角筒形になる集結形容器で、使うときは簡単に一つずつ手でちぎれる構造にしたもので、現状の自動販売機でも販売できる形状を有する集結形ペットボトル容器である。
【発明の効果】
【０００５】  従来の自動販売機で販売されているペットボトルや缶、ビンの容器は価格や容積、重量等の関係で、制限されていて少量での販売が出来にくい水のような液体もあるが、それをまとめる事によって販売可能に出きる様になった、女性ではハンドバック等に、男性ではポケット等に、必要量だけを手軽に入れられ持ち運びに便利で、本発明により場所を問わず薬をのんだり、口を潤したり出来る事を提供するものである。
【発明を実施するための最良の形態】
【０００６】  以下本発明の実施の形態を説明する。
各ペットボトルは一部分だけを巾数ミリで厚みを薄くした接続部分Ｋを２か所ずつ設けて繋ぎ、一連のペットボトル（Ａ，Ｂ，Ｃ，Ｄ）を丸めると［図２］、簡単に一つにまとまる様にホックを両端のボトルに凸凹各２個ずつ設け、（９と１１）（１０と１２）が合わせると嵌る仕組みにした円筒形又は多角筒形になる集結形容器［図１］で、Ｐ点１、Ｐ点２、Ｐ点３、Ｐ点４、が同一点Ｐに集まり、（Ｖ点とＺ点）及び（Ｖ‘点とＺ’点）が合う様にしている。
使用する時は、Ｔ，Ｐ，Ｏ，に応じて使えるように、Ｋを薄くて短くしているので、Ａ，Ｂ，Ｃ，Ｄ，各ボトルを一つずつ捩じって引きちぎれば簡単に離れる、また各ボトルＡ，Ｂ，Ｃ，Ｄ，には飲み口５，６，７，８、がありその蓋にそれぞれのキャップ１，２，３，４、が付いており、キャップごと全体を薄い樹脂で覆い一体になっているので、キャップは外れないし、安全性と衛生面を保護して、自動販売機でも販売できる構造にしている。
又Ｖ点Ｗ点Ｘ点Ｙ点Ｚ点は同一周辺等分点で上面キャップ側で、Ｖ’点Ｗ’点Ｘ’点Ｙ’点Ｚ’点も下面の同一周辺等分点として記してあるが、各ペットボトルの製品はＫの部分だけで数ミリ巾で繋がっているだけで、ペットボトルの製造時に一体成型されている。
【図面の簡単な説明】
【０００７】
【図１】  本発明の丸めた時の斜視図
【図２】  本発明の丸める以前の展開図
【符号の説明】
【０００８】（１）  Ａのキャップ
（２）  （２）Ｂのキャップ
（３）  （３）Ｃのキャップ
（４）  （４）Ｄのキャップ
（５）  Ａの飲み口
（６）  Ｂの飲み口
（７）  Ｃの飲み口
（８）  Ｄの飲み口
（９）  Ａの上部に付けた凸ホック
（１０）  Ａの下部に付けた凸ホック
（１１）  Ｄの上部に付けた凹ホック
（１２）  Ｄの下部に付けた凹ホック
（Ａ）  左端ペットボトル
（Ｂ）  ２番目ペットボトル
（Ｃ）  ３番目ペットボトル
（Ｄ）  右端ペットボトル
（Ｐ点）  各ボトルのＰ点１、Ｐ点２、Ｐ点３、Ｐ点４、が丸めると集まる点
（Ｐ点１）  ＡボトルのＰ点
（Ｐ点２）  ＢボトルのＰ点
（Ｐ点３）  ＣボトルのＰ点
（Ｐ点４）  ＤボトルのＰ点
（Ｖ点）  丸めるとＺ点と合い同一点Ｖ，Ｚ点になる点
（Ｗ点）  ＡとＢのボトルの円周等分点
（Ｘ点）  ＢとＣのボトルの円周等分点
（Ｙ点）  ＣとＤのボトルの円周等分点
（Ｚ点）  丸めるとＶ点と合い同一点Ｖ、Ｚ点になる点
（Ｖ’点）  丸めるとＺ’点と合い同一点Ｖ’，Ｚ’点になる点
（Ｗ’点）  ＡとＢのボトルの円周等分点
（Ｘ’点）  ＢとＣのボトルの円周等分点
（Ｙ’点）  ＣとＤのボトルの円周等分点
（Ｚ’点）  丸めるとＶ’点と合い同一点Ｖ’，Ｚ’点になる点
【図１】
2011121640.tif 000003
【図２】
2011121640.tif 000004
(57)【要約】      （修正有）【課題】注出器に手間無く容易に自動計量、定量注出できる機能を持たせること。【解決手段】容器の傾きによってフロートへの浮力の方向が変化し、フロートが移動する「フロート弁」によって弁口５が開いたり閉じたりする仕組みを利用し、自動計量することと、定量注出することを使い分ける。容器を普通に立てているときは弁が開き、重力によって下部の計量庫３に注出液が自動的に満たされ、容器を傾けたときは弁が閉じて、計量庫３内の注出液以外注出されない。あるいは「フロート弁」作動を正確にするために、容器の傾きによってフロートの支点と重力浮力の重心の位置関係が入れ替わり、浮力によるモーメントが逆転して弁が開いたり閉じたりする「回転フロート弁」を装着する。【選択図】図１
2011121636.tif 000002
【特許請求の範囲】
【請求項１】
容器の傾きによってフロートへの浮力の方向が変化し、フロートが移動する「フロート弁」によって弁口が開いたり閉じたりすることを利用し、自動計量することと、定量注出することを使い分ける仕組み。
【請求項２】
容器の傾きによってフロートの支点と重力浮力の重心の位置関係が入れ替わり、浮力によるモーメントが逆転して弁が開いたり閉じたりする「回転フロート弁」の仕組み
【請求項３】
貯蔵液の液面が下がっても液面の高さを確保し注ぎ時の計量庫の液面との圧力差を抑え、フロート弁の効果を大きく生かす「フロート室」の仕組み
【発明の詳細な説明】
【技術分野】
【０００１】  本発明は、液体をほぼ定量的に注ぐためのフロート弁の考案に関係する。
【背景技術】
【０００２】  調味料注出器、例えば醤油差等には、差す量を空気穴で調節するもの、ボールの転がりで調節するものなどがあるが、定量的に測り取る仕組みを持つものは少ない。
また酒類等に定量を量りとるキャップはあるが、本発明は容器そのものに機能を持たせている。
【先行技術文献】
【特許文献】
【０００３】
【特許文献１】  特許出願２００４−２２３３９０  定量注出器
【特許文献２】  実用新案出願平１０−３０３５  醤油差し
【特許文献３】  実用新案出願２００５−３６８  醤油差し
【特許文献４】  特許出願２００６−２２１７１１  差す量を調節できる醤油差し
【特許文献５】  実用新案出願平８−６５９１  液体定量注出用中栓
【発明の概要】
【発明が解決しようとする課題】
【０００４】  一般の液体調味料の注出器は毎回の注出量が不安定で、人のさじ加減で出る量が決まる。しかし外食産業など食膳を大量に取り扱う場所では、エコ面においてもコスト面においても注出量は均一なことが望ましい。本発明の課題は、注出器に手間無く容易に自動計量、定量注出できる機能を持たせることである。
さらに貯蔵液が無くなる間近まで使用できなければならない。
【課題を解決するための手段】
【０００５】  貯蔵液が無くなる間近まで使用できるよう、注出器の下部に［図１］［図２］の注ぎ口（１）、空気管（２）をセットにし、高さを極力低く、極力横に広げる計量庫（３）を取り付ける。この際、注ぐ時の注ぎ口、および計量庫の底面の傾斜は、容器を深く傾けなくても済むようできるだけ緩やかにする。また計量庫の正確性のために注ぎ口（１）、空気管（２）の口径を極力小さくする。【０００６】［図２］のようにフロート室（６）を計量庫（３）を挟むように取り付ける。フロート室（６）の中では容器の傾きによってフロート（４）の上下方向が入れ替わり、注ぐときは貯蔵液の侵入を防ぐように弁口（５）が閉じる。また普通に立てたときは弁口（５）を開放して重力に従い計量庫に自然に液が蓄えられる。【０００７】フロート室（６）は液量が減少したときのために取りつける。注ぐときフロート室の液面は計量庫の液面に等しいか高くなるようにする。この仕組みで液面差による圧力がフロートの浮力の効果を奪うことを抑える。【０００８】貯蔵液の計量庫への通過口（弁口）の位置は、最後まで使い切れるよう十分に下に位置させる。【０００９】注ぎ出すための圧力調整の空気管を貯蔵液より高い位置まで切り口が来るように取り付ける。【００１０】計量庫に、計量庫の容量変化を可能にする調節ネジ（７）を取り付ける。【００１１】  ［０００６］のフロート球式の弁でも十分に機能を果たすが、より作動を正確にさせるめにはフロート球の代わりに［図３］の回転フロート弁（１０）を装着する。
回転フロート弁（１０）では、重力浮力の重心は開閉時のどちらにおいても回転軸（１１）をはさんで弁口と逆側にある。これにより普通に立てたときは弁口（９）は常に開放される。また重力浮力の重心と回転軸（１１）を結んだ線が垂線となす角に対し、容器の傾きが大きくなったとき弁口（９）は閉じる。したがってこの角は［図１］［図２］の注ぎ口（１）の傾きより小さくなければならない。
また浮力を増加させるためにはフロートを横方向へ伸ばせばよい。
【発明の効果】
【００１２】  容器の傾きによってフロート（４）の上下方向が入れ替わり、傾いたときは貯蔵液の進入を防ぐように弁口（５）が閉じる。このため注ぐときは計量庫内の液のみが注ぎ出される。また普通に立てたときは弁口５が開放され重力に従い自動的に計量庫にほぼ定量の注出液が満たされる。
従って、注いで置く、注いで置くという普通の注出器と同じ日常の操作で繰り返し簡単に定量の液を注ぐことができる。また注ぐ量も調節可能である。
【図面の簡単な説明】
【００１３】
【図１】定量注出器の外観と普通に立てたとき、傾けて注ぐとき。
【図２】計量庫とフロート弁の仕組み、普通に立てたとき、傾けて注ぐとき。
【図３】回転フロート弁、普通に立てたときと傾けて注ぐとき。
【発明を実施するための形態】
【００１４】  一般の注出器と同様、普通に傾けて注ぎ、普通に置けばよい。
【実施例】
【００１５】  液体調味料（醤油、油、酢、たれ等）や化学実験等。
【産業上の利用可能性】
【００１６】  外食産業では、液体調味料の無駄遣いを抑え、経費削減に寄与する。計量カップ、計量さじの代わりとなり、料理、ケーキ作り等の生産速度向上に寄与する。また簡易な化学実験にも利用できる。
【図１】
2011121636.tif 000003
【図２】
2011121636.tif 000004
【図３】
2011121636.tif 000005
(57)【要約】【課題】  一般に売られている丸底立体紙コップは、携帯するにはかさばりバッグの中で潰れ、捨てる時もかさばったゴミになる。又、新幹線などにある平面紙コップは立設できないので、それらを解決するべく本発明を提供する。【解決手段】  底部中央に山折り線を設け、その左右に一定間隔で谷折り線を設ける。胴体部の上部に持ち手用の突起部を設ける。底部と胴体部の縁全体に接着面を設け接着したことを特徴とする折りたたみ携帯紙コップ。【選択図】図４
2011121638.tif 000002
【特許請求の範囲】
【請求項１】
底部中央に山折り線を設け、その左右に一定間隔で谷折り線を設け、胴体部の上部に持ち手用の凸部を設け、底部と胴体部の縁全体に接着面を設け接着した事を特徴とする折りたたみ携帯紙コップ。
【発明の詳細な説明】
【技術分野】
【０００１】  本発明は、水やジュース等を飲用する際に用いられる紙コップに関するものである。
【背景技術】
【０００２】  一般には丸底立体型の物と、新幹線などに設置されている平面の物がある。
【先行技術文献】
【０００３】
【特許文献１】  特開２００５−２２７５３
【発明の概要】
【発明が解決しようとする課題】
【０００４】  （イ）ペットボトルの直飲みは不衛生である。
（ロ）一般に売られている丸底立体型紙コップは、携帯するにはかさばり、バックの中で潰れる。
（ハ）新幹線などに設置されてある平面紙コップは立設できないため、飲み終わるまで手に持っていなければならない。
（二）飲む時、液体の重さで指先につい力が入ると紙コップがひしゃげて中身がこぼれてしまう。
（ホ）乱雑不規則な潰れ方でゴミになって、かさばる形でゴミの量をいたずらに増やす。
本発明は以上の問題点を解決するものである。
【課題を解決するための手段】
【０００５】  底部中央に山折り線を設け、その左右に一定間隔で谷折り線を設ける。胴体部の上部に持ち手用の凸部を設ける。底部と胴体部の縁全体に接着面を設け接着する。
以上を特徴とする折りたたみ携帯紙コップである。
【発明の効果】
【０００６】  （イ）本発明の紙コップを持ち歩く事により、ペットボトルの飲料を何度かに分けて飲用しても衛生的に保ち、かつ分け合う事もできる。
（ロ）本発明は折りたたむ事ができるため、コンパクトに携帯でき、バックの中でも潰れる心配がない。
（ハ）新幹線などの平面紙コップは立設できないが、本発明は底部がマチ付きなので中身を入れたまま立てて置ける。
（ニ）持ち手凸部により、重さを支えるひっかかりができるので、指先に力を入れてこぼすような事もない。
（ホ）使用後、ゴミの縮小にも役立つ。
【図面の簡単な説明】
【０００７】
【図１】  本発明の展開図
【図２】  本発明の底部形成の過程図
【図３】  本発明の胴体部形成の過程図
【図４】  本発明の斜視図
【発明を実施するための形態】
【０００８】  以下、本発明の実施の形態を説明する。
（イ）底部（１）の中央に山折り線（２）を設け、その左右に一定間隔で谷折り線（３）を設ける。
（ロ）胴体部（５）の上部に持ち手凸部（４）を設ける。
（ハ）底部（１）と胴体部（５）の縁全体に接着面（６）を設ける。
（ニ）山折り線（２）、谷折り線（３）を折り、接着面（６）同士を接着する。
本発明は以上のような構造で、これを実際に使用する時は、折りたたまれた紙コップを左右の持ち手凸部（４）を持ち、飲み口が開くように押し広げて、飲料を注ぐ。すると自然に底部（１）のマチが広がり飲みかけの飲料が入ったままでも立てて置くことができる。飲み終わった紙コップは元の薄く折りたたまれた形に戻しゴミ箱に捨てると、ゴミもかさばらずゴミの減量にも役立つ。
【符号の説明】
【０００９】  （１）底部
（２）山折り線
（３）谷折り線
（４）持ち手凸部
（５）胴体部
（６）接着面
【図１】
2011121638.tif 000003
【図２】
2011121638.tif 000004
【図３】
2011121638.tif 000005
【図４】
2011121638.tif 000006
(57)【要約】【課題】定規を別途用意することなしに、インデックスラベルを書類へと等間隔に貼る。【解決手段】インデックスラベルのシール台紙に等間隔に目印を付ける。書類へとインデックスラベルを貼るときに、シール台紙を書類に沿えて目印に合わせてインデックスラベルを貼る。【選択図】図３
2011121348.tif 000002
【特許請求の範囲】
【請求項１】
等間隔に目印が付けられたインデックスラベルのシール台紙。
【発明の詳細な説明】
【技術分野】
【０００１】  本発明は、インデックスラベルのシール台紙を使ってインデックスラベルを等間隔に貼りやすくするものである。
【背景技術】
【０００２】  従来はインデックスラベルを等間隔に貼るためのインデックスラベルのシール台紙はなかった。
【先行技術文献】
【特許文献】
【０００３】
【特許文献１】  特開２００２−８６９９２
【特許文献２】  実開平５−６５５９６
【発明の概要】
【発明が解決しようとする課題】
【０００４】  インデックスラベルを書類に貼るとき、隣のインデックスラベルを目印に次のインデックスラベルを貼ると、等間隔に貼ることはできなかった。インデックスラベルを等間隔に貼ろうとするためには別途定規を使用し、インデックスラベル間を計測した上で貼らなくてはならなかった。
【課題を解決するための手段】
【０００５】  インデックスラベルのシール台紙に添付してあるインデックスラベルに合わせ、シール台紙に等間隔に目印を付ける。インデックスを書類に貼るときに、シール台紙を書類に沿えて目印に合わせてインデックスラベルを貼ることにより、インデックスラベルを等間隔に貼りやすくするものである。
【発明の効果】
【０００６】  書類に、等間隔に目印の付いたシール台紙を沿えて、目印に合わせインデックスラベルを貼ることにより等間隔に貼れる。等間隔に貼るために定規を別途用意する必要がなくなる。
【図面の簡単な説明】
【０００７】
【図１】本発明のシール台紙にインデックスラベルが貼られている図である。
【図２】本発明のシール台紙の図である。
【図３】本発明のシール台紙を書類に沿えて、目印に合わせてインデックスラベルを貼った図である。
【発明を実施するための形態】
【０００８】  以下、本発明の実施の形態について説明する。
（イ）．インデックスラベル３のシール台紙１に等間隔に目印２を付ける。
（ロ）．インデックスラベル３のシール台紙１を、インデックスラベル３を貼ろうとする書類４に沿えて、目印２に合わせて等間隔にインデックスラベル３を貼る。
【符号の説明】
【０００９】１  シール台紙
２  目印
３  インデックスラベル
４  書類
【図１】
2011121348.tif 000003
【図２】
2011121348.tif 000004
【図３】
2011121348.tif 000005
(57)【要約】【課題】両面粘着テープの剥離ライナーを剥がす時に取りにくい、粘着部が破れたり、剥がれたりの失敗する事等の問題が解消できて、安全で簡単に剥離ライナーを剥がす事ができる両面粘着テープ剥がし器を提供する。【解決手段】本体の先端部に案内部、溝を設け、先端部に針、上部にボルト、ワツシヤ、ナツト、両端につば部をつけたスライド板を本体に取り付けして案内部をテープに平行に合わせて針をテープに軽く刺して剥離ライナーを剥がす事を特徴とする両面粘着テープ剥がし器。【選択図】図１
2011121349.tif 000002
【特許請求の範囲】
【請求項１】
本体の先端部に３５度曲がつていて、テープとの確認ができる案内部とスライド板が前後に動く様に先端部から中間部にかけて溝を設け、先端部に弾力性のある針を下に向けて取り付け、上部にボルト、両端につば部のついたスライド板を溝に入れ、針を案内部より突出量を０．５ミリから１ミリにセツト後、ボルトにワツシヤを入れてナツトでスライド板を本体に締め付け固定して、案内部とテープを平行にして針をテープの端２ミリ位の位置に刺して案内部の片方、又は両方を持ち上げて剥離紙を簡単で、安全に剥がす事が出来る事を特徴とする両面粘着テープ剥がし器。
【発明の詳細な説明】
【技術分野】
【０００１】  本発明は、案内部、溝のついた本体に針、ボルト、つば部のついたスライド板を取り付けてワツシヤ、ナツトで本体に締め付け固定した、両面粘着テープ剥がし器に関するものである。
【背景技術】
【０００２】  従来、両面粘着テープの剥離紙を剥がすのに指の爪、ナイフの刃先で剥がしていた事と、先端部が尖つていて、使用時にも変形しない針類を剥がし部として、指につけて使用する事を特徴とする指輪類に取り付けた剥がし具があつた。（特許文献１参照）
【特許文献１】  特開２００２−１９２８９３公報
【発明の開示】
【発明が解決しようとする課題】
【０００３】  そのために次のような問題があつた。
（イ）手指の爪、ナイフの刃先で剥離紙を剥がしていたが取りにくいのと、失敗する事が多い。
（ロ）剥離紙に針を刺す時、浅くなつたり、深くなつたりする事が多く、針が外れたり、破れたり、粘着テープ全体を剥がしたりする事が多かつた。
（ハ）指輪をつけていながら他の仕事をしていると危険な事と、つけたり、外したりするので面倒であつた。
本発明は、これらの問題を解決するためになされたものである。
【課題を解決する手段】
【０００４】  本体の先端部に３５度曲がつている案内部と本体に溝を設け、先端部に弾力性のある針、上部にボルト、両端につば部のついたスライド板を本体に針が案内部より０，５ミリから１ミリの突出量して、ボルトに薄い丸いワツシヤ、ナツトの順で組み込んで本体にスライド板を締め付け固定後、剥がし器を手に持つて案内部をテープと平行にして針をテープの端部の２ミリ位の位置に針を刺して案内部の片方、又は両方を持ち上げて１０ミリ位の剥離紙を剥がし、後は手指で剥離紙を掴んで剥がす事ができるのと案内部、針は使用しない時はキヤツプ類で覆う事により針の破損防止と針によるケガ防止ができ、針も磨耗等で変形、短くなつた時は、ヤスリ等で修正とスライド板を前にスライドさせて調整する。
以上を特徴とする両面粘着テープ剥がし器である。
【発明の効果】
【０００５】  両面粘着テープの剥離紙が剥がしにくい、粘着テープ全体が剥がれる、破れる事等の失敗がなくなり安全で簡単に剥離紙を剥がす事ができる。
【発明を実施するための最良の形態】
【０００６】  以下、本発明の実施の形態について説明する
（イ）本体（１）の先端に３５度の曲がりのある案内部（２）と本体（１）にまたがり溝（３）を設ける。
（ロ）スライド板（４）の先端に針（５）上部にボルト（７）両端につばぶ（６）を設ける。
（ハ）本体（１）にスライド板（４）を溝（３）に本体（１）下部より入れてボルト（７）にワツシヤ（８）を入れて、針（５）を案内部（２）の下部より突出量を０，５ミリから１ミリにセツト後ナツト（９）で本体（１）に締め付け固定する。
（ニ）針が磨耗、変形等で短くなつた時はヤスリ等で修正とスライド晩を前に調整して使用する。
本発明は、以上の構成よりなつている。
これを使用するときは本体（１）を手指に持つて案内部（２）と両面粘着テープ（１１）を平行に合わせながら針（５）を両面粘着テープ（１１）の端部２ミリ位の位置に針（５）を軽く刺して案内部（２）の片方、又は両方を持ち上げて１０ミリくらいの剥離紙を剥がし、後は手指で掴んで残りの剥離紙をはがす。
【図面の簡単な説明】
【０００７】
【図１】本発明の斜視図
【図２】本発明の分解の斜視図
【図３】本発明の両面粘着テープの剥離紙の剥がし斜視図
【図４】本発明の剥がし器の先端部の断面図
【符号の説明】
【０００８】  １  本体
２  案内部
３  溝
４  スライド板
５  針
６  つば部
７  ボルト
８  ワツシヤ
９  ナツト
１０  粘着物
１１  両面粘着テープ
【図１】
2011121349.tif 000003
【図２】
2011121349.tif 000004
【図３】
2011121349.tif 000005
【図４】
2011121349.tif 000006
(57)【要約】      （修正有）【課題】吸着剤に含有される金属がオゾンと反応することによるオゾン濃度の減少。【解決手段】原料として酸素ガスに窒素ガスを数％未満添加したガスを使用して生成したオゾンガスを吸着剤としてシリカゲル７を充填した除去筒８に導入して、オゾンを飽和吸着させ、その後二酸化窒素をシリカゲルに吸着除去しながら、シリカゲル表面に吸着されたオゾンを低次の窒素酸化物と反応させることによって、より吸着性の高い二酸化窒素として捕捉する。【選択図】図１
2011121805.tif 000002
【特許請求の範囲】
【請求項１】
原料として酸素ガスに窒素ガスを数％未満添加したガスを使用し、放電式オゾン発生装置で生成したオゾンガスを、吸着剤としてシリカゲル(７)を充填した除去筒(８)に導入し、予めシリカゲル(７)の表面に飽和状態までオゾン吸着させた後、シリカゲル(７)で二酸化窒素を吸着除去しつつ、低次の窒素酸化物をシリカゲル(７)表面に吸着されたオゾンと反応させることによって二酸化窒素として捕捉するように構成したことを特徴とするオゾンガスに含まれる窒素酸化物および水分の除去方法。
【請求項２】
除去筒(８)を−１１１.９℃〜８０℃の範囲で温度制御する請求項１に記載したオゾンガスに含まれる窒素酸化物および水分の除去方法。
【発明の詳細な説明】
【技術分野】
【０００１】
本発明は、酸素ガスを原料として生成されたオゾンガスから窒素酸化物および水分を除去する技術に関する。
【背景技術】
【０００２】
放電によってオゾンを発生するにあたって、原料となる酸素ガスに窒素ガスを数％未満添加することでオゾン濃度が高濃度化し、経時安定性も向上することが知られている。
しかし、この手法を採用した場合には、供給オゾンガス中に窒素酸化物が副成し、微量な水分と反応することによって硝酸を生じ、配管などが腐蝕されてしまうことがあった。
【０００３】
そこで、薬剤と反応させ硝酸塩とする技術(特許文献１)や、ゼオライト(吸着剤)に接触させる技術(特許文献２)が、オゾンガス中の窒素酸化物を除去するものとして提案されている。
【先行技術文献】
【特許文献】
【０００４】
【特許文献１】特開平０９−０６７１０７号公報
【特許文献２】特開２００１−１２０９５１号公報
【発明の概要】
【発明が解決しようとする課題】
【０００５】
従来の窒素酸化物吸着剤では、吸着剤に含有される金属がオゾンと反応することによって窒素酸化物除去後のオゾン濃度が大きく減少してしまうという問題があり、また化学的に除去する方式や水に溶解させる方式では窒素酸化物除去後に水分が混入してしまうという問題があった。
【０００６】
本発明は、このような点に着目して、発生させたオゾン濃度を維持できるものでありながら、水分混入のないオゾンガスを得ることを目的とする。
【課題を解決するための手段】
【０００７】
上述の目的を達成するために、本発明は、窒素酸化物が混入したオゾンガスを予めオゾンガスが飽和吸着されたシリカゲルが充填された除去筒に導入し、吸着性の高い二酸化窒素を吸着除去しながら併せて、低次の窒素酸化物をシリカゲル表面に吸着されているオゾンガスと反応させ二酸化窒素としながら補捉するように構成したことを特徴としている。
【発明の効果】
【０００８】
本発明では、ＮＯなどの低次窒素酸化物を酸化するために必要な量だけオゾン濃度が減少することになるが、オゾンの分子数に比べてこれらの低次窒素酸化物の分子数は少なくオゾン濃度が著しく下がることはない。また、吸着剤としてシリカゲルを使用することで、オゾンを分解することなく吸着出来るうえ、併せて不純物として含まれる水分を吸着することが出来る。
【図面の簡単な説明】
【０００９】
【図１】本発明を実施するオゾンガス精製装置の概略構成図を示す。
【発明を実施するための形態】
【００１０】
流量調整器(１)を装着した酸素ガス供給路(２)と流量調整器(３)を装着した窒素ガス供給路(４)を合流させてなる原料ガス導入路(５)で混合比を調整した窒素含有酸素ガスを放電式オゾン発生装置(６)に供給して、オゾンを生成し、放電式オゾン発生装置(６)で生成されたオゾンガスを吸着剤としてシリカゲル(７)を充填している除去筒(８)に導入し、シリカゲル(７)にオゾンを吸着させる。除去筒(８)から導出された導出路(９)は、途中で分岐され、一方はプロセスライン(10)に、また他方はベントライン(11)に構成され、プロセスライン(10)には流路開閉弁(12)が、また、ベントライン(11)には流路開閉弁(13)が装着してある。そして、オゾンが吸着された後のスルーガスは、ベントライン(11)を通して外部に放出される。なお、除去筒(８)は、温度制御装置(14)で一定の温度範囲に保持できるようにしてある。
【００１１】
そして、窒素酸化物が除去されたオゾンガスを使用する場合には、ベントライン(11)に装着されている流路開閉弁(13)を閉弁するとともに、プロセスライン(10)に装着されている流路開閉弁(12)を開弁して、吸着剤であるシリンゲル(７)で窒素酸化物を吸着除去しながらオゾンガスをプロセスライン(10)に供給することになる。
【００１２】
吸着剤としてシリカゲル(７)を採用している本発明では、オゾンを分解することなく吸着することが出来るうえ、窒素酸化物は吸着性の高い二酸化窒素として吸着するとともに、不純物として含まれている水分も除去することが出来ることになる。
【００１３】
そして、吸着された窒素酸化物は黄色を呈することから、除去筒(８)として透明な除去カラムを使用することで破過時間を見積もることも可能となる。
【００１４】
除去筒(８)の温度制御は、オゾンが液化分離されることを防ぐために、オゾンの沸点(−１１１.９℃)より高く設定しなければならない。また、温度が高すぎると、除去筒(８)内でオゾンが分解してしまうことから、８０℃以下にすることが望ましい。つまり、除去筒(８)の温度制御範囲は、−１１１.９℃〜８０℃の範囲に設定することが望ましい。また、窒素酸化物とともに、水分や二酸化炭素の除去を効率的に行うためには、−１０℃以下の温度に設定することが効果的なことから、−１１１.９℃〜−１０℃の温度範囲に設定することがより望ましい。
【００１５】
この除去筒(８)に充填されているシリカゲル(吸着剤)(７)の再生は、乾いたガスでは十分にパージすることができないため、除去筒(８)に大気等の３％程度の水分を含んだガスを供給してパージすることにより行われる。
【００１６】
除去筒(８)に吸着剤としてシリカゲル(７)を充填した場合と、ゼオライトを充填した場合、および何も充填しなかった場合での入口及び出口でのオゾン濃度、入口及び出口での窒素酸化物濃度を測定した結果を表１に示す。
【００１７】
【表１】
2011121805.tif 000003
【００１８】
この表から、本願発明では、オゾン濃度に影響を与えることなくも窒素酸化物を除去できていることがわかる。
【産業上の利用可能性】
【００１９】
本発明は、放電により生成したオゾンガスを使用する設備全般に応用することが出来る。
【符号の説明】
【００２０】
７…シリカゲル(吸着剤)、８…除去筒。
【図１】
2011121805.tif 000004
(57)【要約】【課題】不老不死薬を作り最新科学応用で不老不死を完璧にする。【解決手段】ヒトｉＰＳ細胞初期化４遺伝子をヒトの培養細胞に導入しｉＰＳ細胞への変化をうながすたんぱく質を作らせる。これを取り出し老人ヒト成人の体全体の細胞に行き渡り老化した各細胞の初期化を若い細胞になるまで戻すため経口用で脳や人体に害のないようにして飲むヒトｉＰＳ細胞初期化４遺伝子利用たんぱく質飲料経口不老不死薬２を作り不老不死にする。【選択図】なし【特許請求の範囲】
【請求項１】
（イ）ヒトｉＰＳ細胞技術応用体細胞を初期化するのに必要な４つの遺伝子をヒトの培養細胞に導入しｉＰＳ細胞への変化をうながすたんぱく質を作らせる。
（ロ）この培養細胞からたんぱく質を含む抽出液を取り出す。
（ハ）このたんぱく質は細胞の初期化をするので飲んで老化した各細胞の初期化を若い細胞になるまで戻すため経口用で脳や人体に害のないようにして飲む不老不死薬とする。
以上の如く特徴を持つヒトｉＰＳ細胞初期化４遺伝子利用たんぱく質飲料経口不老不死薬２。
【発明の詳細な説明】
【技術分野】
【０００１】本発明は、ヒトｉＰＳ細胞初期化４遺伝子利用たんぱく質飲料経口不老不死薬に関する。
【背景技術】
【０００２】従来、ヒトｉＰＳ細胞初期化４遺伝子利用たんぱく質飲料経口不老不死薬に関する技術はなかった。【０００３】
【非特許文献１】「日経サイエンス」２００８年１月号、６８頁から７６頁。
【非特許文献２】「ニュートン」２００８年２月号、７０頁から７５頁。
【非特許文献３】「朝日新聞」２００９年５月３０日、９頁、夕刊
【発明の開示】
【発明が解決しようとする課題】
【０００４】  従来、ヒトｉＰＳ細胞初期化４遺伝子利用たんぱく質飲料経口不老不死薬に関する技術はなかったので最新技術よって実現させる。
【課題を解決するための手段】
【０００５】  ヒトｉＰＳ細胞初期化４遺伝子をヒトの培養細胞に導入しｉＰＳ細胞への変化をうながすたんぱく質を作らせる。これを取り出し老人ヒト成人の体全体の細胞に行き渡り老化した各細胞の初期化を若い細胞になるまで戻すため経口用で脳や人体に害のないようにして飲む。
【発明の効果】
【０００６】  不老不死の肉体を保てる。
【発明を実施するための最良の形態】
【０００７】    以下、本発明の実施例について時系列的論理的に文章で説明する。先ず、ヒトｉＰＳ細胞初期化４遺伝子をヒトの培養細胞に導入しｉＰＳ細胞への変化をうながすたんぱく質を作らせる。この培養細胞からたんぱく質を含む抽出液を取り出し老人ヒト成人の体全体の細胞にたんぱく質として血液に乗り行き渡り老化した各細胞の初期化を若い細胞になるまで戻すため経口用で脳や人体に害のないようにして飲む。
以上の如く特徴を持つヒトｉＰＳ細胞初期化４遺伝子利用たんぱく質飲料経口不老不死薬２。
【実施例】
【０００８】    上記の如く実施される。
【産業上の利用可能性】
【０００９】      ヒトｉＰＳ細胞初期化３遺伝子利用経口不老不死薬を発展させたヒトｉＰＳ細胞初期化４遺伝子利用たんぱく質飲料経口不老不死薬２技術も大きく進歩を遂げ高齢化が進む中この薬の需要の産業上の利用可能性は高いと解される。
(57)【要約】【課題】自動車のアクセルとブレーキの踏み間違いにより発生する交通事故を防止する。【解決手段】自動車のアクセル１に圧力センサ２を取り付け、圧力センサ２に入力された値を、ＣＰＵ３で電子スロットル４への制御信号に変換し、電子スロットル４を開閉する。これにより、アクセル１は、踏み込んでもストロークしないので、ペダルのストロークするブレーキとの操作感に明確な違いが生まれる。  この違いを日常の運転で身体が覚えれば万一踏み間違えた時も、瞬時に間違いに気付き、ブレーキを踏み直すことができる。【選択図】図１
2011121570.tif 000002
【特許請求の範囲】
【請求項１】
自動車のアクセルに圧力センサを取り付け、圧力センサに入力された値を、ＣＰＵで電子スロットルへの制御信号に変換し、電子スロットルを開閉することを特徴とするアクセルの誤操作防止自動車。
【請求項２】
自動車のアクセルに圧力センサを取り付け、圧力センサに入力された値を、ＣＰＵで燃料噴射弁への制御信号に変換し、燃料の噴射量を増減することを特徴とするアクセルの誤操作防止自動車。
【請求項３】
自動車のアクセルに圧力センサを取り付け、圧力センサに入力された値を、ＣＰＵで動力モータへの制御信号に変換し、動力モータの出力を制御することを特徴とするアクセルの誤操作防止自動車。
【発明の詳細な説明】
【技術分野】
【０００１】  本発明は、自動車のアクセルとブレーキの踏み間違いによる、交通事故を防止するための、安全な自動車に関するものである。
【背景技術】
【０００２】  従来から、誤操作による事故防止装置として、特許文献１が開示されている。
【特許文献１】  特許公開  １１−２７８０９２号公報
【発明の開示】
【発明が解決しようとする課題】
【０００３】  従来から度々、アクセルとブレーキの踏み間違いによる、交通事故が発生している。【０００４】  従来のアクセルとブレーキの構造は、共に右足によって踏み込むことによりペダルがストロークし、このストロークの量がアクセルとブレーキを制御していた。【０００５】  ために、両者の操作感（踏む感触、踏み心地）が似ているので、慌ててしまうと踏み間違いが起き、本人はブレーキを踏んだつもりが、実際にはアクセルを踏み続けてしまい、交通事故に至ることがあった。
本発明は、以上のような踏み間違いによる、交通事故を防止することを課題とする。
【課題を解決するための手段】
【０００６】  以上ような課題を解決するための請求項１に係る発明は、自動車のアクセルに圧力センサを取り付ける。運転者がアクセルを踏むと、圧力センサに圧力が入力される。入力された値はＣＰＵで電子スロットルへの制御信号に変換され電子スロットルを開閉することを特徴とする。【０００７】  以上ような課題を解決するための請求項２に係る発明は、自動車のアクセルに圧力センサを取り付ける。運転者がアクセルを踏むと、圧力センサに圧力が入力される。入力された値はＣＰＵで燃料噴射弁への制御信号に変換され、燃料の噴射量を増減することを特徴とする。【０００８】  以上ような課題を解決するための請求項３に係る発明は、自動車のアクセルに圧力センサを取り付ける。運転者がアクセルを踏むと、圧力センサに圧力が入力される。入力された値はＣＰＵで動力モータへの制御信号に変換され、動力モータの出力を制御することを特徴とする。【０００９】  以上のように、本発明のアクセルは、圧力センサによって入力の強弱を感知するので、従来のようにペダルはストロークしない。
よって、アクセルの操作感が従来の『踏み込む』から『押す』感覚に変わりブレーキの操作感とは明確な違いを体感できる。
【発明の効果】
【００１０】  本発明に係るアクセルの誤操作防止自動車は、アクセルとブレーキの操作感に明確な違いがあるので、日常の運転中に身体がその違いを記憶する。
よって、万一踏み間違えても、瞬時に『踏み間違い』に気付き、アクセル操作からブレーキ操作へと切り替えることができ、交通事故の防止につながる。【００１１】  さらに本発明は、アクセルペダルがストロークしないので、アクセルからブレーキへ右足を移す際に、ブレーキペダルの右端に足を引っ掛ける恐れもなくスムーズかつ安全に減速できる。
【発明を実施するための最良の形態】
【００１２】  本発明の実施形態について図面を参照して詳細に説明する。【００１３】  図１は、請求項１に係る本発明のシステム概念図であり、自動車のアクセル１に圧力センサ２を取り付け、圧力センサ２に入力された値を、ＣＰＵ３で電子スロットル４への制御信号に変換し、電子スロットル４を開閉する。【００１４】  図２は、請求項２に係る本発明のシステム概念図であり、自動車のアクセル１に圧力センサ２を取り付け、圧力センサ２に入力された値を、ＣＰＵ３で燃料噴射弁５への制御信号に変換し、燃料の噴射量を増減する。【００１５】  図３は、請求項３に係る本発明のシステム概念図であり、自動車のアクセル１に圧力センサ２を取り付け、圧力センサ２に入力された値を、ＣＰＵ３で動力モータ６への制御信号に変換し、動力モータ６の出力を制御する。
【図面の簡単な説明】
【００１６】
【図１】請求項１に係る、システム概念図である。
【図２】請求項２に係る、システム概念図である。
【図３】請求項３に係る、システム概念図である。
【符号の説明】
【００１７】  １  自動車のアクセル
２  圧力センサ
３  ＣＰＵ
４  電子スロットル
５  燃料噴射弁
６  動力モータ
７  右足
８  エンジン
【図１】
2011121570.tif 000003
【図２】
2011121570.tif 000004
【図３】
2011121570.tif 000005